(57)【要約】【課題】金属イオン含有水をｐＨ８以上でアルカリ凝集沈殿させる水処理方法において、カチオン系高分子凝集剤とアニオン系高分子凝集剤とをこの順で添加することによって、アニオン系高分子凝集剤のみを添加する場合と比べて、より清澄な処理水を得る。【解決手段】ｉ）金属イオン含有被処理水にアルカリを添加し、８以上のｐＨにおいて金属水酸化物を析出させて懸濁物質を形成する工程と、ｉｉ）工程ｉから得られた被処理水にカチオン基比率が３０モル％以下のカチオン系高分子凝集剤を添加した後、アニオン基比率が１０モル％以上のアニオン系高分子凝集剤を添加し、懸濁物質の凝集物を形成する工程と、ｉｉｉ）工程ｉｉから得られた被処理水からスラッジブランケットと清澄水の層とを形成し、清澄水の層から処理水を得、スラッジブランケットから汚泥を得る工程とを含む水処理方法。この方法を行うための水処理装置。【選択図】図１
2019111513.tif 000002
【特許請求の範囲】
【請求項１】
ｉ）金属イオンを含有する被処理水に、アルカリを添加することによって、８以上のｐＨにおいて金属水酸化物を析出させて懸濁物質を形成する工程と、
ｉｉ）工程ｉから得られた被処理水に、カチオン基比率が３０モル％以下のカチオン系高分子凝集剤を添加した後、アニオン基比率が１０モル％以上のアニオン系高分子凝集剤を添加することによって、該懸濁物質の凝集物を形成する工程と、
ｉｉｉ）工程ｉｉから得られた被処理水から、スラッジブランケットと清澄水の層とを形成し、該清澄水の層から処理水を得、該スラッジブランケットから汚泥を得る工程と、
を含む水処理方法。
【請求項２】
前記ｐＨ値が１３以下である、請求項１に記載の水処理方法。
【請求項３】
前記ｐＨ値が９以上、１２以下である、請求項２に記載の水処理方法。
【請求項４】
前記カチオン系高分子凝集剤のカチオン基比率が１５モル％以下である、請求項１〜３のいずれか一項に記載の水処理方法。
【請求項５】
前記カチオン系高分子凝集剤のカチオン基比率が８モル％以下である、請求項４に記載の水処理方法。
【請求項６】
スラッジブランケットを撹拌することにより、前記凝集物の造粒を行う工程を有する、請求項１〜５のいずれか一項に記載の水処理方法。
【請求項７】
金属イオンを含有する被処理水にアルカリを添加する、アルカリ添加手段と、
アルカリ添加手段より下流側に設けられた、被処理水にカチオン基比率が３０モル％以下のカチオン系高分子凝集剤を添加する、カチオン系高分子凝集剤添加手段と、
カチオン系高分子凝集剤添加手段より下流側に設けられた、被処理水にアニオン基比率が１０モル％以上のアニオン系高分子凝集剤を添加するアニオン系高分子凝集剤添加手段と、
アニオン系高分子凝集剤添加手段より下流側に設けられた、被処理水からスラッジブランケットと清澄水の層とを形成し、該清澄水の層から処理水を得、該スラッジブランケットから汚泥を得る、スラッジブランケット型沈殿槽と、
を含む水処理装置。
【発明の詳細な説明】
【技術分野】
【０００１】
本発明は、凝集沈殿法による水処理方法及び装置に関する。
【背景技術】
【０００２】
水処理における単位操作の１つとして、凝集沈殿法が広く用いられている。凝集沈殿法では、懸濁物質を含んだ懸濁水に対して、無機凝集剤や高分子凝集剤などの凝集剤を添加し、適宜攪拌することで、懸濁物質を凝集させて凝集物（「凝集フロック」とも呼ばれる）を形成する。そしてその凝集物を沈殿させて懸濁水から固液分離し、清澄な処理水を得る。このような凝集沈殿法の一つとして、スラッジブランケット法が知られている。この方法では、懸濁水中の微細な懸濁物質を効率的に除去して清澄な処理水を得るために、沈殿槽内に凝集物の浮遊密集層、すなわちスラッジブランケットを形成して、懸濁水をこのスラッジブランケットに流入及び通過させることによって、懸濁水中の微細な懸濁物質を濾過分離する。
【０００３】
特許文献１には、スラッジブランケット法の中でも、凝集沈殿槽において攪拌及び造粒を行う方法に関する技術が開示される。この文献には、懸濁水にカチオン系高分子凝集剤を添加し、次いでアニオン系高分子凝集剤を添加して凝集物を生成した後、凝集沈殿槽において攪拌及び造粒を行い、固液分離することが記載されている。凝集沈殿槽では、アニオン系高分子凝集剤及びカチオン系高分子凝集剤の架橋作用と沈殿槽内の攪拌による機械的脱水作用によって、高密度の球状凝集体（ペレット）が形成される。このペレットの沈降性は通常の凝集フロックに比べて非常に高く、ペレットでスラッジブランケットを形成することで、通常のスラッジブランケット法よりも高い線速度（ＬＶ）での処理が可能となる。したがって、通常のスラッジブランケット法に比べて水面積負荷を大きくとることができ、沈殿槽もよりコンパクトなものになる。なお、ペレットによって形成されたスラッジブランケットは、ペレットブランケットと呼ばれることがある。
【０００４】
特許文献２には、浄水排汚泥のｐＨをアルカリ域に調整し、無機凝集剤を混合し、高速造粒沈殿濃縮槽においてアニオン性ポリマーを添加して攪拌することにより高度造粒物を生成する方法が開示される。
【先行技術文献】
【特許文献】
【０００５】
【特許文献１】特許第５９０７２７３号公報
【特許文献２】特開２００９−１１９４０５号公報
【発明の概要】
【発明が解決しようとする課題】
【０００６】
スラッジブランケット法において、スラッジブランケットを形成する凝集フロックの沈降性が低い場合、特に沈殿槽における通水流速が高いと、スラッジブランケットの界面が舞乱れ、スラッジブランケットを形成していた凝集フロックが処理水に流出して処理水の水質が低下することがある。
【０００７】
金属イオン含有水にアルカリを添加することによって金属水酸化物を析出させて懸濁物質を形成し、この懸濁物質を含む被処理水をスラッジブランケット法で処理する際、カチオン系及びアニオン系高分子凝集剤をこの順で被処理水に添加することにより、凝集フロックの沈降性が高まり、処理水の水質が高まることが期待される。
【０００８】
しかし、本発明者らの検討によれば、８以上のｐＨにおいて金属イオン含有水から金属水酸化物を析出させ、得られた懸濁物質を凝集沈殿させる場合、アニオン系高分子凝集剤の添加前にカチオン系高分子凝集剤を添加する効果が得られないことがある。つまり、カチオン系高分子凝集剤を使用せずにアニオン系高分子凝集剤を添加した場合と比べて、カチオン系高分子凝集剤とアニオン系高分子凝集剤とをこの順で添加した場合に、得られた処理水の水質が同等もしくは低い場合があることが判明した。なお、金属イオン含有水にアルカリを添加して金属水酸化物を懸濁物質として析出させ、その懸濁物質を凝集沈殿させることを、「アルカリ凝集沈殿」ということがある。
【０００９】
本発明の目的は、金属イオン含有水をｐＨ８以上でアルカリ凝集沈殿させる水処理方法において、カチオン系高分子凝集剤とアニオン系高分子凝集剤とをこの順で添加することによって、アニオン系高分子凝集剤のみを添加する場合と比べて、より清澄な処理水を得ることのできる水処理方法を提供することである。
【００１０】
本発明の別の目的は、このような水処理方法を行うに好適な水処理装置を提供することである。
【課題を解決するための手段】
【００１１】
本発明の一態様によれば、
ｉ）金属イオンを含有する被処理水に、アルカリを添加することによって、８以上のｐＨにおいて金属水酸化物を析出させて懸濁物質を形成する工程と、
ｉｉ）工程ｉから得られた被処理水に、カチオン基比率が３０モル％以下のカチオン系高分子凝集剤を添加した後、アニオン基比率が１０モル％以上のアニオン系高分子凝集剤を添加することによって、該懸濁物質の凝集物を形成する工程と、
ｉｉｉ）工程ｉｉから得られた被処理水から、スラッジブランケットと清澄水の層とを形成し、該清澄水の層から処理水を得、該スラッジブランケットから汚泥を得る工程と、
を含む水処理方法が提供される。
【００１２】
本発明の別の態様によれば、
金属イオンを含有する被処理水にアルカリを添加する、アルカリ添加手段と、
アルカリ添加手段より下流側に設けられた、被処理水にカチオン基比率が３０モル％以下のカチオン系高分子凝集剤を添加する、カチオン系高分子凝集剤添加手段と、
カチオン系高分子凝集剤添加手段より下流側に設けられた、被処理水にアニオン基比率が１０モル％以上のアニオン系高分子凝集剤を添加するアニオン系高分子凝集剤添加手段と、
アニオン系高分子凝集剤添加手段より下流側に設けられた、被処理水からスラッジブランケットと清澄水の層とを形成し、該清澄水の層から処理水を得、該スラッジブランケットから汚泥を得る、スラッジブランケット型沈殿槽と、
を含む水処理装置が提供される。
【発明の効果】
【００１３】
本発明によれば、金属イオン含有水をｐＨ８以上でアルカリ凝集沈殿させる水処理方法において、カチオン系高分子凝集剤とアニオン系高分子凝集剤とをこの順で添加することによって、アニオン系高分子凝集剤のみを添加する場合と比べて、より清澄な処理水を得ることのできる水処理方法を提供することができる。
【００１４】
また本発明によれば、このような水処理方法を行うに好適な水処理装置を提供することができる。
【図面の簡単な説明】
【００１５】
【図１】本発明に係る水処理装置の一例の概略構成を示す図である。
【図２】カチオン系高分子凝集剤のカチオン基比率と、処理水の懸濁物質（ＳＳ）濃度との関係を示すグラフである。
【図３】アニオン系高分子凝集剤のアニオン基比率と、処理水の懸濁物質（ＳＳ）濃度との関係を示すグラフである。
【発明を実施するための形態】
【００１６】
本発明に係る水処理方法は、工程ｉ〜ｉｉｉを有する。工程ｉでは、金属イオンを含有する被処理水すなわち原水に、アルカリを添加することによって、８以上のｐＨにおいて、懸濁物質として金属水酸化物を析出させる。
【００１７】
工程ｉｉでは、工程ｉから得られた被処理水に、カチオン系高分子凝集剤を添加した後、アニオン系高分子凝集剤を添加することによって、懸濁物質の凝集物を形成する。それぞれの高分子凝集剤の添加と同時に、または添加の後に、適宜攪拌を行うことができる。
【００１８】
このときカチオン基比率が３０モル％以下、好ましくは１５モル％以下、より好ましくは８モル％以下のカチオン系高分子凝集剤を使用する。これにより、アニオン系高分子凝集剤だけを添加した場合と比べて、強度及び沈降速度の高い凝集物を形成することができ、より清澄な処理水が得られる。カチオン基比率は、３モル％以上とすることができる。
【００１９】
また、アニオン基比率が１０モル％以上のアニオン系高分子凝集剤を添加する。これによって、より良好な凝集物を形成でき、高ＬＶで処理することが容易で、且つ、より清澄な処理水を得ることが容易である。アニオン基比率は、例えば５０モル％以下、さらには４５モル％以下、詳しくは４１モル％以下とすることができる。
【００２０】
工程ｉｉｉでは、工程ｉｉから得られた被処理水から、スラッジブランケットと清澄水の層とを形成する。清澄水の層から、処理水が得られる。一方、スラッジブランケットから汚泥を得ることができる。典型的には、スラッジブランケットを形成する流体から、沈降分離によって凝集物を更に濃縮し、濃縮した凝集物を汚泥として排出することができる。
【００２１】
〔原水〕
本発明で処理を行う対象である原水は、金属イオンを含有した水である。このような原水として、８以上のｐＨで不溶性の金属水酸化物を生成する金属イオンを含む水を用いることができる。その金属は、例えば、亜鉛、ニッケル、コバルト、鉄、銅、鉛、カドミニウム、マンガンなどである。原水として、例えば、めっき工場のめっき排水、発電所の排煙脱硫排水、ゴミ焼却場の洗煙排水などの排水が挙げられる。排水中の金属イオンが低い場合（例えば１０ｍｇ／Ｌ以下）や、金属イオン以外にも除去すべき物質が含まれる場合には、必要に応じて無機凝集剤を添加する等して凝集処理を行ってもよい。
【００２２】
〔アルカリ〕
工程ｉで添加するアルカリとしては、苛性ソーダや消石灰、炭酸ナトリウムなど、凝集沈殿の分野で公知のアルカリを使用することができる。
【００２３】
〔無機凝集剤〕
排水の中にはクエン酸等の有機酸、ＥＤＴＡ（エチレンジアミン四酢酸）、アンモニア等の錯体形成をする化合物が含まれることがある。その場合には塩化第二鉄等の鉄塩を添加し、アルカリ凝集沈殿を行うことで、錯体形成化合物を効果的に除去できる場合がある。鉄塩の他、ＰＡＣ（ポリ塩化アルミニウム）や硫酸バンド等のアルミニウム塩を使用することもできるが、アルミニウム塩の場合は凝集ｐＨが６．０〜８．５と中性域であることから、アルカリ域でも凝集可能な鉄塩を使用することが好ましい。
【００２４】
〔カチオン系高分子凝集剤〕
カチオン基比率が３０モル％以下のカチオン系高分子凝集剤は、カチオン性モノマーとノニオン性モノマーとの共重合体からなる。そして、この共重合体を構成するカチオン性モノマー及びノニオン性モノマーのうちのカチオン性モノマーの割合、すなわちカチオン基比率が３０モル％以下である。カチオン性モノマーとしては、例えば、ジメチルアミノエチルアクリレート・塩化メチル四級塩（ＤＡＡ）、ジメチルアミノエチルメタアクリレート塩化メチル４級塩（ＤＡＭ）が挙げられる。ノニオン性モノマーとしては、例えばアクリルアミドを挙げることができる。
【００２５】
カチオン系高分子凝集剤の重量平均分子量は、例えば、７００万以上あるいは１０００万以上とすることができ、また１５００万以下とすることができる。一般的に分子量が大きいほど凝集能力に優れるが、排水種、汚泥脱水機種によっても最適分子量が異なるため、それらに応じて都度選定するのが良い。
【００２６】
カチオン系高分子凝集剤の被処理水への添加量は、例えば、０．３〜１０ｍｇ／Ｌとすることが好ましい。添加量が０．３ｍｇ／Ｌ以上であると、カチオン系高分子凝集剤の効果（カチオン・アニオン系高分子凝集剤併用の効果）を得ることが容易であり、凝集物（ペレットであってもよい）を大きくすることが容易である。添加量を１０ｍｇ／Ｌ超としてもよいが、その場合、添加量の増加に対して凝集物（ペレット）の粒径を大きくする効果は小さい。また、添加量を１０ｍｇ／Ｌ以下とすることにより、後段設備への影響、例えば膜ろ過設備の閉塞、脱水後の汚泥剥離性の低下を容易に防止することができる。
【００２７】
カチオン系高分子凝集剤は、予め水に溶解した溶液の状態で被処理水に添加することが好ましい。その溶液のカチオン系高分子凝集剤の濃度は、例えば０．０５〜０．３ｗ／ｖ％である。
【００２８】
〔アニオン系高分子凝集剤〕
アニオン系高分子凝集剤は、凝集沈殿の分野で公知のものを適宜使用することができる。アニオン系高分子凝集剤は、アルカリ域で凝集剤として特に効果的に機能する中〜強アニオンの高分子凝集剤が好ましい。具体的には、アニオン基比率が１０モル％以上のアニオン系高分子凝集剤を用いる。
【００２９】
アニオン系高分子凝集剤として、アニオン性モノマーとノニオン性モノマーとの共重合体からなるものを用いることができる。アニオン性モノマーは、例えば、アクリル酸である。ノニオン性モノマーは、例えば、アクリルアミドである。
【００３０】
アニオン系高分子凝集剤の重量平均分子量は、例えば、１０００万以上あるいは１５００万以上とすることができ、また２５００万以下とすることができる。カチオン系高分子凝集剤同様に、一般的に分子量が大きいほど凝集能力に優れるが、排水種、汚泥脱水機種によっても最適分子量が異なるため、それらに応じて都度選定するのが良い。
【００３１】
アニオン系高分子凝集剤の被処理水への添加量は、例えば、０．３〜１０ｍｇ／Ｌとすることが好ましい。添加量が０．３ｍｇ／Ｌ以上であると、凝集物（ペレットであってもよい）を大きくすることが容易である。添加量を１０ｍｇ／Ｌ超としてもよいが、その場合、添加量の増加に対して凝集物の粒径を大きくする効果は少ない。また、添加量を１０ｍｇ／Ｌとすることにより、後段設備への影響、例えば膜ろ過設備の閉塞、脱水後の汚泥剥離性の低下を容易に防止することができる。
【００３２】
アニオン系高分子凝集剤は、予め水に溶解した溶液の状態で被処理水に添加することが好ましい。その溶液のアニオン系高分子凝集剤の濃度は、０．０５〜０．３ｗ／ｖ％である。
【００３３】
アニオン基比率は、アニオン性高分子凝集剤がアニオン性モノマーとノニオン性モノマーとの共重合体からなる場合に、この共重合体を構成するアニオン性モノマー及びノニオン性モノマーのうちの、アニオン性モノマーの割合を意味する。
【００３４】
〔沈殿槽〕
本発明においては、凝集物を沈殿槽内に保有し、凝集物の浮遊密集層であるスラッジブランケットを形成させ、後から流入してくる凝集物（典型的には微細フロック）や懸濁物質（ＳＳ）をスラッジブランケットで捕捉するスラッジブランケット型沈殿槽を用いることができる。スラッジブランケットにおいては、凝集物を含む被処理水が上向きに流れ、凝集物の沈降速度と被処理水の上昇速度とが均衡し、凝集物が密集して浮遊する。スラッジブランケット型沈殿槽の中でも、特に、スラッジブランケットを攪拌して造粒を行う（ペレットブランケットが形成される）造粒沈殿槽を用いることもできる。
【００３５】
スラッジブランケット型沈殿槽としては、凝集沈殿の分野で公知のものを適宜用いることができる。
【００３６】
〔水処理装置〕
本発明の一形態に係る水処理装置は、アルカリ添加手段、カチオン系高分子凝集剤添加手段、アニオン系高分子凝集剤添加手段、及びスラッジブランケット型沈殿槽を含む。
【００３７】
アルカリ添加手段は、金属イオンを含有する被処理水にアルカリを添加するよう構成される。カチオン系高分子凝集剤添加手段は、アルカリ添加手段より下流側に設けられ、被処理水にカチオン基比率が３０モル％以下のカチオン系高分子凝集剤を添加するよう構成される。アニオン系高分子凝集剤添加手段は、カチオン系高分子凝集剤添加手段より下流側に設けられ、被処理水にアニオン基比率が１０モル％以上のアニオン系高分子凝集剤を添加するよう構成される。スラッジブランケット型沈殿槽は、アニオン系高分子凝集剤添加手段より下流側に設けられ、被処理水からスラッジブランケットと清澄水の層とを形成し、該清澄水の層から処理水を得、該スラッジブランケットから汚泥を得るよう構成される。ここで、用語「下流側」は、処理水の流れに関する下流側を意味する。
【００３８】
水処理装置の例を、図１に示す。この水処理装置は、詳しくは「凝集沈殿装置」と呼ぶことができるので、以下において「凝集沈殿装置」と呼ぶ。この凝集沈殿装置は、原水の曝気とｐＨ調整を行う原水槽１０、ｐＨ調整後の原水とカチオン系高分子系凝集剤とを混合する一次凝集槽２０、内部で凝集と造粒操作を行うための攪拌機を有した沈殿槽３０を有する。沈殿槽３０は、スラッジブランケット型沈殿槽である。
【００３９】
原水槽１０に、ラインＬ１から原水が供給される。原水槽１０において、原水にアルカリとして苛性ソーダを添加し、得られる被処理水のｐＨを８以上に調整する。アルカリ添加手段として、原水槽１０に接続されたラインＬ７を用いる。このｐＨ調整によって、金属酸化物を析出させ、懸濁物質を被処理水中に形成する。適宜ｐＨ計（図中「ｐＨ」で示す）を用いて、被処理水のｐＨを測定することができる。なお、ラインＬ７は原水槽１０に接続される必要はなく、例えば、ラインＬ１に接続されてもよい。また、ラインＬ７には、アルカリもしくはその水溶液を収容する容器（不図示）を接続することができる。原水槽１０には、原水を曝気するために、ブロワＢからラインＬ６を通して空気が供給される。
【００４０】
原水槽１０から得られる被処理水は、ラインＬ２を経て、後段の一次凝集槽２０に送られる。ラインＬ２には、適宜、ポンプＰ及び流量計ＦＩを設けることができる。
【００４１】
一次凝集槽２０に流入した被処理水には、カチオン基比率が３０モル％以下のカチオン系高分子凝集剤が添加され、前記懸濁物質の凝集物、典型的には繊維状の一次凝集フロックが形成される。カチオン系高分子凝集剤添加手段として、一次凝集槽２０に接続されたラインＬ８を用いる。懸濁物質の凝集を促進するために、一次凝集槽において、適宜攪拌翼２１を用いて撹拌を行うことができる。なお、ラインＬ８は一次凝集槽２０に接続される必要はなく、例えばラインＬ２に接続されてもよい。また、ラインＬ８には、カチオン系高分子凝集剤もしくはその水溶液を収容する容器（不図示）を接続することができる。
【００４２】
一次凝集槽２０からラインＬ３に抜き出した被処理水（典型的には一次凝集フロックを含む凝集水）には、この被処理水が沈殿槽３０に流入する前に、アニオン系高分子凝集剤が添加される。アニオン系高分子凝集剤添加手段として、ラインＬ３に接続されたラインＬ９を用いる。ラインＬ３の途中に水槽（不図示）を設け、その水槽にラインＬ９を接続してもよい。また、ラインＬ９には、アニオン系高分子凝集剤もしくはその水溶液を収容する容器（不図示）を接続することができる。
【００４３】
アニオン系高分子凝集剤が添加された被処理水は、ラインＬ３を経て、沈殿槽３０に、その底面から上向きに流入する。この被処理水の上昇流によって、スラッジブランケットが形成される。沈殿槽３０は造粒型の沈殿槽であり、スラッジブランケットの攪拌、特には緩速撹拌による凝集物の粗大化、機械的脱水作用及び転がり運動などによって、凝集物の造粒が行われ、すなわち凝集物のペレットが形成される。この攪拌のために、沈殿槽３０には、モータＭによって駆動される被処理水攪拌用の攪拌翼３１が設けられる。造粒されたペレットにより、スラッジブランケットＺ１が形成され、スラッジブランケットの上に、清澄水の層Ｚ２が形成される。
【００４４】
清澄水層Ｚ２から、清澄水が、処理水としてラインＬ４に排出される。
【００４５】
沈殿槽３０の側面には、開口部３２を介して沈殿槽３０の内部と連通する濃縮部３３が設けられている。沈殿槽３０内の余剰汚泥（スラッジブランケットＺ１の上部で浮遊しているペレット）をオーバーフローさせて濃縮部３３に流入させ、それを濃縮部３３の内部で沈降させて濃縮する。濃縮部３３の下部には、濃縮部３３に堆積した濃縮汚泥（高濃度に濃縮されたペレット）の層Ｚ３から濃縮汚泥を引き抜くためのラインＬ５が接続され、ラインＬ５から濃縮汚泥が凝集沈殿装置の外部に排出される。
【００４６】
このように、ｐＨ８以上のアルカリ域で金属水酸化物を析出させ、次いでカチオン基比率が３０モル％以下のカチオン系高分子凝集剤を添加した後、アニオン基比率が１０モル％以上のアニオン系高分子凝集剤を添加することによって、沈降速度の高い金属水酸化物の凝集物を形成して固液分離することができる。固液分離のために、スラッジブランケット型の沈殿槽（造粒沈殿槽であってもよい）を用いることができる。
【００４７】
アニオン系高分子凝集剤を添加するまでの、カチオン系高分子凝集剤の凝集沈殿装置内の滞留時間は、好ましくは１分以上、更に好ましくは２分以上である。
【００４８】
一次凝集槽２０を設けずに、原水槽１０においてカチオン系高分子凝集剤を添加してもよい。つまり、ラインＬ７を原水槽１０に接続してもよい。ただし、一般的には原水槽は大きなものが多く、カチオン系高分子凝集剤の添加によって形成された一次凝集フロックが原水槽の隅などに滞留しやすい。その場合には一次凝集フロックの含有量が比較的低い被処理水が沈殿槽内に流入することとなり、沈殿槽前で添加したアニオン系高分子凝集剤が未反応のまま処理水中に漏出しやすいことがある。このような一次凝集フロックの滞留を回避しやすくするためには、撹拌機を備えた一次凝集槽２０を設け、原水槽１０ではなく一次凝集槽２０においてカチオン系高分子凝集剤を添加することが好ましい。通常、一次凝集槽２０は原水槽１０よりも小さく、円筒状とした方が一時凝集フロックの滞留を防ぐことが容易である。
【００４９】
各ラインは、適宜の配管材を用いて形成することができる。
【実施例】
【００５０】
〔被処理水のｐＨを変えた凝集実験（ジャーテスト）〕
・試験１
ビーカーに、表１に示した水質の原水（めっき排水）を入れた。このビーカーに、苛性ソーダを添加して、表２に示すようにｐＨを７に調整した。得られた被処理水に、カチオン系高分子凝集剤（カチオン基比率：３モル％）を、被処理水中の濃度が１ｍｇ／Ｌとなるように添加し、１５０ｒｐｍで２分、急速撹拌を実施した。得られた被処理水に、アニオン系高分子凝集剤（アニオン基比率：１７モル％）を、被処理水中の濃度が１ｍｇ／Ｌとなるように添加し、１５０ｒｐｍで１分急速撹拌した。その後、４０ｒｐｍで５分間緩速撹拌を行った。このとき形成された凝集物の大きさ（凝集フロック径）を測定した。また凝集物の沈静後、処理水（上澄水）を採取し、処理水中の溶存Ｆｅ、溶存Ｚｎ、溶存Ｐｂの濃度を測定した。これらの測定値を表２に示す。
【００５１】
・試験２〜７
各試験において、苛性ソーダの添加により調整するｐＨ値を表２に示すように変更した。それ以外は試験１と同様の試験を行った。得られた測定値を表２に示す。
【００５２】
表２に示すように、ｐＨ８〜１３においてはＦｅ、Ｚｎ、Ｐｂの全てについて放流基準値（それぞれ１０ｍｇ／Ｌ、２ｍｇ／Ｌ、０．１ｍｇ／Ｌ）以下までの除去を確認でき、ｐＨ９〜１２においては全て定量下限値以下まで除去できていた。フロック径は、ｐＨ１０〜１２で最も大きく、ｐＨ８またｐＨ１３のアルカリ域でも、中性域のｐＨ７の場合よりも大きいことが確認された。
【００５３】
【表１】
2019111513.tif 000003
【００５４】
【表２】
2019111513.tif 000004
【００５５】
〔カチオン基比率を変えた凝集実験（ジャーテスト）〕
・試験８〜２８
苛性ソーダの添加により調整したｐＨ値を表３に示すように変更した。また、カチオン系高分子凝集剤を変更して、そのカチオン基比率を表３に示すように変更した。それ以外は試験１と同様の試験を行った。ただし、ここでは凝集フロック径のみを測定した。試験８、１５及び２２の試験条件は、それぞれ前述の試験２、４及び６の試験条件と同一である。また試験１４、２１及び２８においては、カチオン系高分子凝集剤の添加とそれに引き続く急速攪拌を行わず、アニオン系高分子凝集剤（アニオン基比率：１７モル％）を被処理水中の濃度が２ｍｇ／Ｌとなるように添加した。
【００５６】
【表３】
2019111513.tif 000005
【００５７】
表３から分かるように、どのｐＨにおいてもカチオン基比率の低いカチオン系高分子凝集剤、特にカチオン基比率が１５モル％以下のカチオン系高分子凝集剤を使用した場合、アニオン高分子凝集剤単独の場合と比べてフロック径の大きな凝集物を形成できた。一方、カチオン基比率３５モル％以上のカチオン系高分子凝集剤を用いた試験では、アニオン高分子凝集剤単独の試験と同等の大きさの凝集フロック、もしくはアニオン系高分子凝集剤単独の試験よりもわずかに小さな凝集フロックが形成されていた。
【００５８】
以上から、ｐＨ８以上のアルカリ条件下においては、カチオン基比率が３０モル％以下、好ましくは１５モル％以下、より好ましくは８モル％以下のカチオン系高分子凝集剤と、アニオン系高分子凝集剤を併用することで、粗大で沈降速度の速い凝集フロックを形成できることが期待される。
【００５９】
〔カチオン系高分子凝集剤のカチオン基比率を変えた連続通水試験〕
・実施例１
図１に示す構成を有するアルカリ凝集沈殿装置を用いて連続通水試験を実施し、処理水のＳＳ濃度を測定した。アニオン系高分子凝集剤としては、前述の試験で用いたアニオン基比率１７モル％のものを使用した。前述の試験では、表２に示されるとおり、ｐＨ９〜１２においてＦｅ、Ｚｎ、Ｐｂを最もよく除去できた。本例では、アルカリの添加量を考慮して、ｐＨを９に調節した。
【００６０】
表１に示す水質の原水を、原水槽１０にてｐＨ９に調整し、ポンプＰによって一次凝集槽２０に送った。一次凝集槽ではカチオン系高分子凝集剤を、被処理水中の濃度が１ｍｇ／Ｌになるように添加し、攪拌翼２１で急速撹拌混合することで繊維状の凝集フロックを形成した。カチオン系高分子凝集剤としては、前述の試験で用いたカチオン基比率が３モル％のものを用いた。なお、ブロワＢからラインＬ６を経て供給される空気によって、原水槽１０において原水を曝気した。
【００６１】
一次凝集槽２０から排出された一次凝集水（ラインＬ３）に、一次凝集水が沈殿槽３０に流入する前に、凝集物の粗大化のためのアニオン系高分子凝集剤を、被処理水中の濃度が１ｍｇ／Ｌになるように添加した。沈殿槽３０内では一次凝集水とアニオン系高分子凝集剤が緩速撹拌によって緩やかに混合され、それによって粗大化した凝集物は、緩速撹拌による機械的脱水作用、また転がり運動により、球状のペレットを形成した。
【００６２】
沈殿槽３０内では、被処理水が、このペレットによって形成されたスラッジブランケット（ペレットブランケット）Ｚ１と清澄水の層Ｚ２とに分離された。清澄水層Ｚ２から、清澄水をラインＬ４に抜き出し、処理水を得た。一方、スラッジブランケットＺ１を形成する流体は、開口部３２から濃縮部３３にオーバーフローした。濃縮部３３では、沈降によりペレットが濃縮され、濃縮汚泥の層Ｚ３が形成された。濃縮汚泥の層Ｚ３から、濃縮汚泥をラインＬ５に抜き出し、汚泥として排出した。
【００６３】
このようにして得た処理水のＳＳ濃度を測定した。
【００６４】
＜装置仕様＞
本例で使用した凝集沈殿装置の仕様を以下に示す。
原水槽１０の容量：２００Ｌ、
一次凝集槽２０の容量：１０Ｌ、
沈殿槽３０の容量：２．５Ｌ（ブランケット高さ：４０ｃｍ）、
沈殿槽３０の直径：６７ｍｍ、
沈殿槽３０の通水ＬＶ：３０ｍ／ｈ（１０６Ｌ／ｈ）。
【００６５】
・実施例２〜７及び比較例１〜３
実施例２〜７では、カチオン系高分子凝集剤として、カチオン基比率がそれぞれ５、８、１５、１７、２７、３０モル％のものを用いた。比較例１〜３では、カチオン系高分子凝集剤として、カチオン基比率がそれぞれ３５、４５、７０モル％のものを用いた。なお、カチオン基比率が８、１５、３５、４５及び７０モル％のカチオン系高分子凝集剤は、いずれも前述の試験で用いたものと同じである。それ以外は実施例１と同様にして連続通水試験を実施し、処理水のＳＳ濃度を測定した。
【００６６】
・比較例４
一次凝集槽２０でカチオン系高分子凝集剤を添加しなかった。また、アニオン系高分子凝集剤を、被処理水中の濃度が２ｍｇ／Ｌになるように添加した。これら以外は実施例１と同様にして連続通水試験を実施し、処理水のＳＳ濃度を測定した。
【００６７】
上記実施例及び比較例の結果を図２に示す。ただし、この図において、比較例４で得られた処理水のＳＳ濃度は、「アニオンポリマー単独」と注記した破線で示す。比較例１〜３では、カチオン系高分子凝集剤とアニオン系高分子凝集剤とをこの順に添加したにもかかわらず、ＳＳ濃度が比較例４（カチオン系高分子凝集剤を用いなかった例）よりも高かった。一方、実施例１〜７のＳＳ濃度は比較例４よりも低く、カチオン系高分子凝集剤とアニオン系高分子凝集剤とをこの順に添加した効果が得られた。図２から、カチオン基比率が３０モル％以下のカチオン系高分子凝集剤を用いれば、このような効果が得られると考えられる。
【００６８】
この結果は、表３に示した試験結果と傾向が同じである。そのため、アルカリ添加によってｐＨ９以外のｐＨ（ただし８以上）に調整した場合においても、カチオン基比率が３０モル％以下のカチオン系高分子凝集剤をアニオン系高分子凝集剤の前に添加することによって、アニオン系高分子凝集剤を単独で使用した場合よりも、清澄な処理水を得ることができると想定される。
【００６９】
アルカリ領域で凝集を行う場合、水中には水酸化物イオンが多く存在するが、カチオン系高分子凝集剤のカチオン基比率が高いと、カチオン系高分子凝集剤が水酸基を介して分子内収縮を起こしてしまい架橋構造を取りにくくなる。そのためカチオン基比率の高いカチオン系高分子凝集剤ではカチオン及びアニオン系高分子凝集剤を併用する効果が得られにくく、カチオン基比率の小さいカチオン系高分子凝集剤を用いたほうが粗大で沈降速度の高い凝集物を形成できると考えられる。
【００７０】
〔アニオン系高分子凝集剤のアニオン基比率を変えた連続通水試験〕
・比較例５、実施例８〜１２
比較例５では、アニオン系高分子凝集剤として、アニオン基比率が４モル％のものを用いた。実施例８〜１２では、アニオン系高分子凝集剤として、アニオン基比率がそれぞれ１０、１２、２４、３２、４１モル％のものを用いた。それ以外は実施例１と同様にして連続通水試験を実施し、処理水のＳＳ濃度を測定した。なお、これらの例において用いたカチオン系高分子凝集剤のカチオン基比率は３モル％である。
【００７１】
上記の例の結果を、実施例１の結果とともに、図３に示す。アニオン基比率が１０モル％以上のアニオン系高分子凝集剤を用いた場合に、アニオン系高分子凝集剤を単独で使用した場合よりも、良好な結果を得ることができた。
【００７２】
〔カチオン基比率及びアニオン基比率を変えた連続通水試験〕
・実施例１３
カチオン系高分子凝集剤として、前述のカチオン基比率が３０モル％のものを用い、アニオン系高分子凝集剤として、前述のアニオン基比率が１０モル％のものを用いた。それ以外は実施例１と同様にして連続通水試験を実施し、処理水のＳＳ濃度を測定した。ＳＳ濃度は８．０ｍｇ／Ｌであり、アニオン系高分子凝集剤を単独で使用した場合よりも良好であった。
【００７３】
・実施例１４
カチオン系高分子凝集剤として、前述のカチオン基比率が３０モル％のものを用い、アニオン系高分子凝集剤として、前述のアニオン基比率が４１モル％のものを用いた。それ以外は実施例１と同様にして連続通水試験を実施し、処理水のＳＳ濃度を測定した。ＳＳ濃度は５．０ｍｇ／Ｌであり、アニオン系高分子凝集剤を単独で使用した場合よりも良好であった。
【符号の説明】
【００７４】
１０  原水槽
２０  一次凝集槽
２１  攪拌翼
３０  沈殿槽
３１  攪拌翼
３２  開口部
３３  濃縮部
Ｚ１  スラッジブランケット
Ｚ２  清澄水の層
Ｚ３  濃縮汚泥の層
【図１】
2019111513.tif 000006
【図２】
2019111513.tif 000007
【図３】
2019111513.tif 000008